(57)【要約】【課題】展示台等の近くにテレビ配置用の広いスペースを設ける必要がなく、また、店頭等に広いスペースがない量販店等であっても展示品の広告用映像により宣伝等することができ、しかも、展示品を見ながらそれに関する広告用映像も一緒に見ることができ、この広告用映像から得られる好イメージが薄れることなく、好イメージのまますぐそばの展示品を見ることで、購買意欲を増大させることができ、しかも、使用電力が少なくてすむ展示装置を提供する。【解決手段】電化製品等の展示品２を展示する展示装置であって、上記展示装置の上下両棚段部１ａ，１ｂ上に、上記展示品２とともに、展示品２の広告用映像を表示するための液晶表示具３が載置されている。【選択図】図１
2006087685.tif 000002
【特許請求の範囲】
【請求項１】
電化製品等の展示品を展示する展示装置であって、上記展示装置の展示部上に、上記展示品とともに、展示品の広告用映像を表示するための液晶表示具が載置されていることを特徴とする展示装置。
【請求項２】
上記液晶表示具が、箱形に形成され、その一側面に液晶モニターを設けたものである請求項１記載の展示装置。
【請求項３】
上記液晶表示具の前側面に液晶モニターが設けられ、左右両側壁の少なくとも一方に、上記展示品の広告用音声を発生する音声発生手段が設けられている請求項２記載の展示装置。
【発明の詳細な説明】
【技術分野】
【０００１】
本発明は、デジタルカメラ，ＤＶＤレコーダー，携帯電話等のポータブルな各種の電化製品等の展示に用いられる展示装置に関するものである。
【背景技術】
【０００２】
従来から、デジタルカメラ，ＤＶＤレコーダー，携帯電話等のポータブルな各種の電化製品を店頭等で展示，販売する場合には、梱包用箱や展示台等上に電化製品を載置するとともに、展示台等やその近傍に、電化製品のキャッチコピーや宣伝文句等が記載されたＰＯＰ等の印刷物を配設し、店員等が顧客に対し電化製品の特長等を説明することがよく行われている。ところが、この場合には、多くのＰＯＰ等を作製しなければならず、その作製費が高価になるうえ、多くのＰＯＰ等の管理に手間がかかる。しかも、店員等は電化製品の特長等を覚えなければならないし、また、覚えられない場合には、電化製品の説明が不充分になる。しかも、店員等の人数によっては店員等を店頭等に配置する余裕がない場合もある。
【０００３】
そこで、電化製品を載置した展示台等の近くに宣伝用のテレビを配置し、このテレビの画面に、電化製品の広告，宣伝用の映像を音声とともに映し出し、電化製品を広告，宣伝することも行われている。この場合には、顧客はテレビを見ることで、電化製品のキャッチコピー，宣伝文句や特長等が判るため、展示台等やその近傍に、ＰＯＰ等の印刷物を多く配設する必要がなく、これらの作製費が安価になるうえ、これらの管理にも手間がかからなくなる。しかも、テレビにより電化製品の説明が充分に行え、そのため、店員等は電化製品の特長等をそれほと覚える必要がなくなるうえ、店員等の人数に余裕がない場合にも、電化製品の広告，宣伝が充分に行える。また、テレビの画面に広告，宣伝用の映像等を映し出すことで、アピール度も高く、広告，宣伝の効果が高くなる。
【発明の開示】
【発明が解決しようとする課題】
【０００４】
しかしながら、展示台等の近くに宣伝用のテレビを配置し、このテレビの画面に広告，宣伝用の映像等を映し出す場合には、テレビが大きいため、展示台等の近くにテレビ配置用の広いスペースを設ける必要があり、また、店頭等に広いスペースがない量販店等ではテレビを配置することが難しく、テレビにより広告，宣伝することができないという問題がある。しかも、展示台等の近くとはいっても、電化製品とは離れた場所にテレビを配置しているため、電化製品を見るときには、テレビから目を離して電化製品だけを見ることになり、テレビから受けた商品イメージが薄れて購買意欲が失せるという問題もある。しかも、テレビの使用電力が高い。
【０００５】
本発明は、このような事情に鑑みなされたもので、展示台等の近くにテレビ配置用の広いスペースを設ける必要がなく、また、店頭等に広いスペースがない量販店等であっても展示品の広告用映像により宣伝等することができ、しかも、展示品を見ながらそれに関する広告用映像も一緒に見ることができ、この広告用映像から得られる好イメージが薄れることなく、好イメージのまますぐそばの展示品を見ることで、購買意欲を増大させることができ、しかも、使用電力が少なくてすむ展示装置の提供をその目的とする。
【課題を解決するための手段】
【０００６】
上記の目的を達成するため、本発明の展示装置は、電化製品等の展示品を展示する展示装置であって、上記展示装置の展示部上に、上記展示品とともに、展示品の広告用映像を表示するための液晶表示具が載置されているという構成をとる。
【発明の効果】
【０００７】
すなわち、本発明の展示装置は、その展示部上に、電化製品等の展示品とともに、展示品の広告用映像を表示するための液晶表示具が載置されているため、上記展示装置の近くに、従来例のような宣伝用のテレビを配置するための広いスペースを設ける必要がない。また、店頭等に広いスペースがない量販店等であっても、上記展示品を配置するためのスペースがあれば、このスペースに展示品とともに、これら展示品間等に上記液晶表示具を載置し、この液晶表示具に、上記展示品の広告用映像を表示し（もしくは、広告用映像とともに音声を流し）、上記展示品の広告，宣伝を行うことができる。しかも、展示部上に上記展示品とともに液晶表示具を一緒に載置しているため、上記展示品に関する広告用映像を上記展示品とともに、そのすぐそばで見ることができる。したがって、上記広告用映像から与えられる好イメージが薄れることなく、好イメージのままですぐそばの展示品を見ることになり、顧客の購買意欲が増大する。しかも、上記液晶表示具の使用電力がわずかである。なお、本発明において、「液晶表示具」とは、展示品の広告用映像を映し出すことができる（もしくは、広告用映像を映し出すとともに広告用音声を発生させることができる）液晶画面を備え、しかも、展示装置の展示部上に載置することができる形状に形成されていれば、どのようなものでもよく、通常は上記展示品と同程度のサイズもしくは上記展示品より小さいサイズに形成されている。
【０００８】
また、上記液晶表示具が、箱形に形成され、その一側面に液晶モニターを設けたものであると、箱形であるため、展示装置の展示部上に安定して載置することができるうえ、小さな箱形に形成することで、容易に小形化することができる。
【０００９】
また、上記液晶表示具の前側面に液晶モニターが設けられ、左右両側壁の少なくとも一方に、上記展示品の広告用音声を発生する音声発生手段が設けられていると、上記左右両側壁の少なくとも一方を有効利用し、大きな音声発生手段を設けることができ、この音声発生手段から上記展示品の広告用音声を発生させることができる。
【発明を実施するための最良の形態】
【００１０】
つぎに、本発明の実施の形態を図面にもとづいて詳しく説明する。
【００１１】
図１は本発明の展示装置の一実施の形態を示している。図において、１は２段の棚段式展示台であり、この展示台１の上下両棚段部（展示部）１ａ，１ｂ上にそれぞれ複数個の電化製品等の展示品２と１個の液晶表示具３とが載置されている。この実施の形態では、上記展示台１の下側棚段部１ａに展示品２として複数個のデジタルカメラが載置されているとともに、これらデジタルカメラの広告用映像を映し出すとともに広告用音声を発生させるための液晶表示具３が載置されており、また、上側棚段部１ｂに展示品２として複数個のＤＶＤレコーダーが載置されているとともに、これらＤＶＤレコーダーの広告用映像を映し出すとともに広告用音声を発生させるための液晶表示具３が載置されている。上記展示品２としては、製品と全く同じものが用いられているが、通常、展示されているだけであって、顧客に販売等されることはないものである。
【００１２】
上記液晶表示具３は、図２〜図４に示すように、側面視台形状箱形に形成された小形のケース１１（左右幅１２ｃｍ：下側前後幅１２ｃｍ：上側前後幅５ｃｍ：高さ１６ｃｍ程度）と、このケース１１の前側傾斜板１２の上部に穿設された孔部１２ａに固定された液晶モニター１３と、上記前側傾斜板１２の略全面を覆う状態で上記前側傾斜板１２に平行に配設され４本のビス１４で上記前側傾斜板１２に固定された合成樹脂（例えば、アクリル樹脂）製の透明保護板１５と、上記ケース１１内に収容されたスピーカ（音声発生手段）（図示せず）等を備えている。この実施の形態では、上記ケース１１の左側板１２ａの内面にスピーカが取り付けられており、上記ケース１１の左側板１２ａに穿設された複数個の孔１２ｂを通して、上記スピーカから発生される展示品２の広告用音声がケース１１外に聞こえるようにしている。
【００１３】
上記液晶モニター１３は、市販品で、平板状に作製されたもの（厚み６ｍｍ：左右幅８．３ｃｍ：前後幅６．８ｃｍ程度）であり、例えば、携帯電話等に用いられる液晶モニターと同様のものが用いられている。このような液晶モニター１３は、ケース１１の外部に設けたＤＶＤレコーダー等に配線類（ともに図示せず）により電気的に接続されており、上記スピーカは、ケース１１の外部に設けたアンプ（図示せず）等を介して上記ＤＶＤレコーダー等に配線類（図示せず）により電気的に接続されている。そして、各量販店等において独自にデジタルビデオカメラ等で撮影したコマーシャルフィルムを、上記ＤＶＤレコーダーを用い、上記液晶モニター１３の表示画面に映し出すとともに、上記スピーカから音声を流すようにしている。
【００１４】
上記のように、この実施の形態では、展示台１の上下両棚段部１ａ，１ｂ上に展示品２と一緒に載置される液晶表示具３を利用し、その液晶モニター１３にコマーシャルフィルムを表示するとともに、スピーカから展示品２に関する広告用音声を発生させているため、展示台１の近くに、従来例のような宣伝用テレビを配置するための広いスペースを設ける必要がない。また、店頭等に広いスペースがない量販店等であっても、上記展示台１を配置することができるスペースがあれば、展示品２の広告，宣伝を行うことができる。しかも、上記上下両棚段部１ａ，１ｂ上に展示品２とともに液晶表示具３を一緒に載置しているため、展示品２に関する広告用映像を展示品２とともに、そのすぐそばで見ることができる。したがって、上記広告用映像や音声から得られる好イメージが薄れることがなく、好イメージのままですぐそばの展示品２を見ることができ、顧客の購買意欲が増大する。しかも、液晶モニター１３として市販品を用いることにより、安価に購入することができるうえ、デジタルビデオカメラ等を用いて各量販店等で安価に作製したフィルムをコマーシャルフィルムとして用いることができ、設備費や広告，宣伝費が安価になる。しかも、液晶モニター１３の使用電力はわずかである。
【００１５】
なお、上記実施の形態では、展示装置として、２段の棚段式展示台１を用いているが、これに限定するものではなく、１段もしくは３段以上の棚段式展示台１を用いてよいし、壁面等に固定される棚等、各種の展示装置を用いることができる。
【００１６】
また、上記実施の形態では、透明保護板１５の合成樹脂材料として、アクリル樹脂を用いているが、これに限定するものではなく、ポリカーボネート等、各種の合成樹脂を用いることができる。また、上記液晶表示具３の液晶モニター１３の画面を携帯電話を操作して変更できるようにしてもよい。
【図面の簡単な説明】
【００１７】
【図１】本発明の展示装置の一実施の形態を示す斜視図である。
【図２】液晶表示具を示す斜視図である。
【図３】液晶表示具を示す左側面図である。
【図４】上記液晶表示具を示す正面図である。
【符号の説明】
【００１８】
１ａ，１ｂ  上下両棚段部
２  展示品
３  液晶表示具
【図１】
2006087685.tif 000003
【図２】
2006087685.tif 000004
【図３】
2006087685.tif 000005
【図４】
2006087685.tif 000006